(57)【要約】【課題】  光信号の生成に際して温度制御回路の必要性を低減し、かつＯＮＵの共通化（少品種化）を図りながら多くのＯＮＵを接続できる光波長多重アクセスシステムを提供する。【解決手段】  センタ装置（ＯＳＵ）と複数ｎ個の光ネットワークユニット（ＯＮＵ）との間を波長分岐器および光ファイバ伝送路を介して接続し、ＯＳＵから各ＯＮＵへの下り光信号、および各ＯＮＵからＯＳＵへの上り光信号を双方向伝送する光波長多重アクセスシステムにおいて、下り光信号の波長間隔Δλd （光周波数間隔Δｆd ）は、上り光信号の波長間隔Δλu （光周波数間隔Δｆu ）の２倍以上に設定され、各ＯＮＵは光スペクトル幅がΔλu （Δｆu ）の２倍以上の上り光信号をそれぞれ送信し、波長分岐器は各ＯＮＵから送信された上り光信号を光スペクトル幅がΔλu （Δｆu ）以内で互いに異なる波長（光周波数）にスペクトルスライスし、さらに波長多重してＯＳＵに送出する。【選択図】  図１
2004222255.tif 000002
【特許請求の範囲】
【請求項１】
センタ装置（ＯＳＵ）と複数ｎ個の光ネットワークユニット（ＯＮＵ）との間を波長分岐器および光ファイバ伝送路を介して接続し、前記ＯＳＵから前記各ＯＮＵへの下り光信号、および前記各ＯＮＵから前記ＯＳＵへの上り光信号を双方向伝送する光波長多重アクセスシステムにおいて、
少なくとも前記ＯＳＵから前記波長分岐器の間において、各ＯＮＵに対応する各下り光信号の中心波長（中心周波数）は、等しい波長間隔Δλd （光周波数間隔Δｆd ）で決まる等間隔波長グリッド（等間隔周波数グリッド）の中からそれぞれ任意に選択され、その波長誤差（光周波数誤差）が±Δλd ／２（±Δｆd ／２）以内に設定され、
少なくとも前記波長分岐器から前記ＯＳＵの間において、各ＯＮＵに対応する各上り光信号の中心波長（中心周波数）は、等しい波長間隔Δλu （光周波数間隔Δｆu ）で決まる等間隔波長グリッド（等間隔周波数グリッド）の中からそれぞれ任意に選択され、その波長誤差（光周波数誤差）が±Δλu ／２（±Δｆu ／２）以内に設定され、
前記下り光信号の波長間隔Δλd （光周波数間隔Δｆd ）は、前記上り光信号の波長間隔Δλu （光周波数間隔Δｆu ）の２倍以上に設定され、
前記各ＯＮＵは光スペクトル幅がΔλu （Δｆu ）の２倍以上の上り光信号をそれぞれ送信し、前記波長分岐器は前記各ＯＮＵから送信された上り光信号を光スペクトル幅がΔλu （Δｆu ）以内で互いに異なる波長（光周波数）にスペクトルスライスし、さらに波長多重して前記ＯＳＵに送出する構成である
ことを特徴とする光波長多重アクセスシステム。
【請求項２】
センタ装置（ＯＳＵ）と複数ｎ個の光ネットワークユニット（ＯＮＵ）との間を波長分岐器および光ファイバ伝送路を介して接続し、前記ＯＳＵから前記各ＯＮＵへの下り光信号、および前記各ＯＮＵから前記ＯＳＵへの上り光信号を双方向伝送する光波長多重アクセスシステムにおいて、
少なくとも前記ＯＳＵから前記波長分岐器の間において、各ＯＮＵに対応する各下り光信号の中心波長（中心周波数）は、等しい波長間隔Δλd （光周波数間隔Δｆd ）で決まる等間隔波長グリッド（等間隔周波数グリッド）の中からそれぞれ任意に選択され、その波長誤差（光周波数誤差）が±Δλd ／２（±Δｆd ／２）以内に設定され、
少なくとも前記波長分岐器から前記ＯＳＵの間において、各ＯＮＵに対応する各上り光信号の中心波長（中心周波数）は、等しい波長間隔Δλu （光周波数間隔Δｆu ）で決まる等間隔波長グリッド（等間隔周波数グリッド）の中からそれぞれ任意に選択され、その波長誤差（光周波数誤差）が±Δλu ／２（±Δｆu ／２）以内に設定され、
前記下り光信号の波長間隔Δλd （光周波数間隔Δｆd ）は、前記上り光信号の波長間隔Δλu （光周波数間隔Δｆu ）の２倍以上に設定され、
前記ＯＳＵは前記上り光信号の波長間隔（光周波数間隔）に対応する上り用搬送光を送信し、前記波長分岐器はこの上り用搬送光を分波して前記各ＯＮＵに供給し、前記各ＯＮＵは前記上り用搬送光をそれぞれ変調して上り光信号として送信し、前記波長分岐器は前記各ＯＮＵから送信された上り光信号を波長多重して前記ＯＳＵに送出する構成である
ことを特徴とする光波長多重アクセスシステム。
【請求項３】
センタ装置（ＯＳＵ）と複数ｎ個の光ネットワークユニット（ＯＮＵ）との間を波長分岐器および光ファイバ伝送路を介して接続し、前記ＯＳＵから前記各ＯＮＵへの下り光信号、および前記各ＯＮＵから前記ＯＳＵへの上り光信号を双方向伝送する光波長多重アクセスシステムにおいて、
少なくとも前記ＯＳＵから前記波長分岐器の間において、各ＯＮＵに対応する各下り光信号の中心波長（中心周波数）は、等しい波長間隔Δλd （光周波数間隔Δｆd ）で決まる等間隔波長グリッド（等間隔周波数グリッド）の中からそれぞれ任意に選択され、その波長誤差（光周波数誤差）が±Δλd ／２（±Δｆd ／２）以内に設定され、
少なくとも前記波長分岐器から前記ＯＳＵの間において、各ＯＮＵに対応する各上り光信号の中心波長（中心周波数）は、等しい波長間隔Δλu （光周波数間隔Δｆu ）で決まる等間隔波長グリッド（等間隔周波数グリッド）の中からそれぞれ任意に選択され、その波長誤差（光周波数誤差）が±Δλu ／２（±Δｆu ／２）以内に設定され、
前記下り光信号の波長間隔Δλd （光周波数間隔Δｆd ）は、前記上り光信号の波長間隔Δλu （光周波数間隔Δｆu ）の２倍以上に設定され、
前記ＯＳＵは光スペクトル幅がΔλu （Δｆu ）の２倍以上の上り用搬送光を送信し、前記波長分岐器はこの上り用搬送光を光スペクトル幅がΔλu （Δｆu ）以内で互いに異なる波長（光周波数）にスペクトルスライスして前記各ＯＮＵに供給し、前記各ＯＮＵは各波長（各光周波数）の上り用搬送光をそれぞれ変調して上り光信号として送信し、前記波長分岐器は前記各ＯＮＵから送信された上り光信号を波長多重して前記ＯＳＵに送出する構成である
ことを特徴とする光波長多重アクセスシステム。
【請求項４】
センタ装置（ＯＳＵ）と複数ｎ個の光ネットワークユニット（ＯＮＵ）との間を波長分岐器および光ファイバ伝送路を介して接続し、前記ＯＳＵから前記各ＯＮＵへの下り光信号、および前記各ＯＮＵから前記ＯＳＵへの上り光信号を双方向伝送する光波長多重アクセスシステムにおいて、
少なくとも前記ＯＳＵから前記波長分岐器の間において、各ＯＮＵに対応する各下り光信号の中心波長（中心周波数）は、等しい波長間隔Δλd （光周波数間隔Δｆd ）で決まる等間隔波長グリッド（等間隔周波数グリッド）の中からそれぞれ任意に選択され、その波長誤差（光周波数誤差）が±Δλd ／２（±Δｆd ／２）以内に設定され、
少なくとも前記波長分岐器から前記ＯＳＵの間において、各ＯＮＵに対応する各上り光信号の中心波長（中心周波数）は、等しい波長間隔Δλu （光周波数間隔Δｆu ）で決まる等間隔波長グリッド（等間隔周波数グリッド）の中からそれぞれ任意に選択され、その波長誤差（光周波数誤差）が±Δλu ／２（±Δｆu ／２）以内に設定され、
前記下り光信号の波長間隔Δλd （光周波数間隔Δｆd ）は、前記上り光信号の波長間隔Δλu （光周波数間隔Δｆu ）の２倍以上に設定され、
前記ＯＳＵは光スペクトル幅がΔλu （Δｆu ）の２倍以上の上り用搬送光を送信し、前記波長分岐器はこの上り用搬送光をｎ分岐して前記各ＯＮＵに供給し、前記各ＯＮＵは前記上り用搬送光をそれぞれ変調して上り光信号として送信し、前記波長分岐器は前記各ＯＮＵから送信された上り光信号を光スペクトル幅がΔλu （Δｆu ）以内で互いに異なる波長（光周波数）にスペクトルスライスし、さらに波長多重して前記ＯＳＵに送出する構成である
ことを特徴とする光波長多重アクセスシステム。
【請求項５】
請求項１に記載の光波長多重アクセスシステムにおいて、
前記波長分岐器は、１個の結合ポートと（ｎ＋１）個の分岐ポートを有し、等しい波長間隔Δλd （光周波数間隔Δｆd ）で決まる等間隔波長グリッド（等間隔周波数グリッド）の中から選択される（ｎ＋１）種の波長（光周波数）を中心とした透過幅±Δλd ／２（±Δｆd ／２）以内の波長領域（光周波数領域）に分離する第１の波長分岐手段と、１個の結合ポートとｎ個の分岐ポートを有し、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離する第２の波長分岐手段により構成され、
前記第１の波長分岐手段の結合ポートは、前記光ファイバ伝送路を介して前記ＯＳＵに接続され、前記第１の波長分岐手段のｎ個の分岐ポートは、前記光ファイバ伝送路を介して前記各ＯＮＵに接続され、前記第１の波長分岐手段の他の１つの分岐ポートは、前記第２の波長分岐手段の結合ポートに接続され、前記第２の波長分岐手段のｎ個の分岐ポートは、前記光ファイバ伝送路を介して前記各ＯＮＵに接続される
ことを特徴とする光波長多重アクセスシステム。
【請求項６】
請求項１に記載の光波長多重アクセスシステムにおいて、
前記波長分岐器は、１個の結合ポートと（ｎ＋２）個の分岐ポートを有し、等しい波長間隔Δλd （光周波数間隔Δｆd ）で決まる等間隔波長グリッド（等間隔周波数グリッド）の中から選択される（ｎ＋２）種の波長（光周波数）を中心とした透過幅±Δλd ／２（±Δｆd ／２）以内の波長領域（光周波数領域）に分離する第１の波長分岐手段と、１個の結合ポートとｍ個の分岐ポートを有し、等しい波長間隔Δλu （光周波数間隔Δｆu ）で決まる等間隔波長グリッド（等間隔周波数グリッド）の中から選択されるｍ種の波長（光周波数）を中心とした透過幅±Δλu ／２（±Δｆu ／２）以内の波長領域（光周波数領域）に分離する第２の波長分岐手段と、１個の結合ポートと（ｎ−ｍ）個の分岐ポートを有する第２の波長分岐手段と同様の第３の波長分岐手段により構成され、
前記第１の波長分岐手段の結合ポートは、前記光ファイバ伝送路を介して前記ＯＳＵに接続され、前記第１の波長分岐手段のｎ個の分岐ポートは、前記光ファイバ伝送路を介して前記各ＯＮＵに接続され、前記第１の波長分岐手段の他の２つの分岐ポートは、前記第２および第３の波長分岐手段の各結合ポートに接続され、前記第２の波長分岐手段のｍ個の分岐ポートおよび前記第３の波長分岐手段の（ｎ−ｍ）個の分岐ポートは、前記光ファイバ伝送路を介して前記各ＯＮＵに接続される
ことを特徴とする光波長多重アクセスシステム。
【請求項７】
請求項１に記載の光波長多重アクセスシステムにおいて、
前記波長分岐器は、１個の結合ポートと２個の分岐ポートを有し、前記下り光信号と前記上り光信号を分岐・結合する上下波長分岐手段と、１個の結合ポートとｎ個の分岐ポートを有し、等しい波長間隔Δλd （光周波数間隔Δｆd ）で決まる等間隔波長グリッド（等間隔周波数グリッド）の中から選択されるｎ種の波長（光周波数）を中心とした透過幅±Δλd ／２（±Δｆd ／２）以内の波長領域（光周波数領域）に分離する第１の波長分岐手段と、１個の結合ポートとｎ個の分岐ポートを有し、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離する第２の波長分岐手段により構成され、
前記上下波長分岐手段の結合ポートは、前記光ファイバ伝送路を介して前記ＯＳＵに接続され、前記上下波長分岐手段の２つの分岐ポートは、前記第１および第２の波長分岐手段のの各結合ポートに接続され、前記第１の波長分岐手段のｎ個の分岐ポートは、前記光ファイバ伝送路を介して前記各ＯＮＵに接続され、前記第２の波長分岐手段のｎ個の分岐ポートは、前記光ファイバ伝送路を介して前記各ＯＮＵに接続される
ことを特徴とする光波長多重アクセスシステム。
【請求項８】
請求項２〜４のいずれかに記載の光波長多重アクセスシステムにおいて、
前記波長分岐器は、１個の結合ポートと（ｎ＋１）個の分岐ポートを有し、等しい波長間隔Δλd （光周波数間隔Δｆd ）で決まる等間隔波長グリッド（等間隔周波数グリッド）の中から選択される（ｎ＋１）種の波長（光周波数）を中心とした透過幅±Δλd ／２（±Δｆd ／２）以内の波長領域（光周波数領域）に分離する第１の波長分岐手段と、１個の結合ポートとｎ個の分岐ポートを有し、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離する第２および第３の波長分岐手段と、前記下り光信号と前記上り用搬送光を結合、または前記下り光信号と前記上り光信号を分岐するｎ個の上下波長分岐手段により構成され、
前記第１の波長分岐手段の結合ポートは、前記光ファイバ伝送路を介して前記ＯＳＵに接続され、前記第１の波長分岐手段のｎ個の分岐ポートは、前記上下波長分岐手段および前記光ファイバ伝送路を介して前記各ＯＮＵに接続され、前記第１の波長分岐手段の他の１つの分岐ポートは、前記第２の波長分岐手段の結合ポートに接続され、前記第２の波長分岐手段のｎ個の分岐ポートは、前記上下波長分岐手段および前記光ファイバ伝送路を介して前記各ＯＮＵに接続され、前記第３の波長分岐手段のｎ個の分岐ポートは、前記光ファイバ伝送路を介して前記各ＯＮＵに接続され、前記第３の波長分岐手段の結合ポートは、前記光ファイバ伝送路を介して前記ＯＳＵに接続される
ことを特徴とする光波長多重アクセスシステム。
【請求項９】
請求項５〜７のいずれかに記載の光波長多重アクセスシステムにおいて、
前記波長分岐手段と前記各ＯＮＵとの間をそれぞれ１本の光ファイバ伝送路を介して接続し、
前記波長分岐手段に、前記各ＯＮＵとそれぞれ接続される各１本の光ファイバ伝送路と接続し、前記下り光信号と前記上り光信号を分岐・結合する上下波長分岐手段を備えた
ことを特徴とする光波長多重アクセスシステム。
【請求項１０】
請求項７〜９のいずれかに記載の光波長多重アクセスシステムにおいて、
前記上下波長分岐手段の少なくとも１つは、前記下り光信号または前記上り光信号を反射し、その他の波長の光信号を透過する光波長フィルタであることを特徴とする光波長多重アクセスシステム。
【請求項１１】
請求項７〜９のいずれかに記載の光波長多重アクセスシステムにおいて、
前記上下波長分岐手段の少なくとも１つは、前記下り光信号または前記上り光信号を前記１本の光ファイバ伝送路に出力し、前記１本の光ファイバ伝送路から入力する前記上り光信号または前記下り光信号を取り込む３ポートの光サーキュレータであることを特徴とする光波長多重アクセスシステム。
【請求項１２】
請求項７〜９のいずれかに記載の光波長多重アクセスシステムにおいて、
前記上下波長分岐手段の少なくとも１つは光カプラであることを特徴とする光波長多重アクセスシステム。
【請求項１３】
第１の入出力端および第２の入出力端を有する波長分岐器であって、
前記第２の入出力端側の伝送路から入力される光スペクトル幅が波長間隔Δλｕ（光周波数間隔Δｆｕ）の２倍以上の光信号を光スペクトル幅が波長間隔Δλｕ（光周波数間隔Δｆｕ）以内で互いに異なる波長（光周波数）にスペクトルスライスし、さらに波長多重して前記第１の入出力端側の伝送路に送出し、
前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路に送出する
ことを特徴とする波長分岐器。
【請求項１４】
第１の入出力端および第２の入出力端を有する波長分岐器であって、
前記第２の入出力端側の伝送路から入力される波長間隔Δλｕ（光周波数間隔Δｆｕ）の光信号を波長多重して前記第１の入出力端側の伝送路に送出し、
前記第１の入出力端側の伝送路から入力され、前記第２の入出力端側の伝送路から入力される波長間隔Δλｕ（光周波数間隔Δｆｕ）の光信号に対応する波長多重光信号を分波して前記第２の入出力端側の伝送路にそれぞれ供給し、
前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路にそれぞれ供給する
ことを特徴とする波長分岐器。
【請求項１５】
第１の入出力端および第２の入出力端を有する波長分岐器であって、
前記第２の入出力端側の伝送路から入力される波長間隔Δλｕ（光周波数間隔λｆｕ）の光信号を波長多重して前記第１の入出力端側の伝送路に送出し、
前記第１の入出力端側の伝送路から入力され、光スペクトル幅が波長間隔Δλｕ（光周波数間隔Δｆｕ）の２倍以上の光信号を光スペクトル幅が波長間隔Δλｕ（光周波数間隔Δｆｕ）以内で互いに異なる波長（光周波数）にスペクトルスライスして前記第２の入出力端側の伝送路にそれぞれ供給し、
前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路にそれぞれ送出する
ことを特徴とする波長分岐器。
【請求項１６】
第１の入出力端および第２の入出力端を有する波長分岐器であって、
前記第２の入出力端側の伝送路から入力される光スペクトル幅がΔλｕ（光周波数間隔Δｆｕ）の２倍以上に設定された光信号を光スペクトル幅が波長間隔Δλu （光周波数間隔Δｆu ）以内で互いに異なる波長（光周波数）にスペクトルスライスし、さらに波長多重して前記第１の入出力端側の伝送路に送出し、
前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路にそれぞれ送出し、
前記第１の入出力端側の伝送路から入力される光スペクトル幅がΔλｕ（光周波数間隔Δｆｕ）の２倍以上の光信号を分岐して前記第２の入出力端側の伝送路にそれぞれ送出する
ことを特徴とする波長分岐器。
【請求項１７】
請求項１３に記載の波長分岐器は、
１個の結合ポートと（ｎ＋１）個の分岐ポートを有し、該結合ポートに入力された光信号を、等しい波長間隔Δλd （光周波数間隔Δｆd ）で決まる等間隔波長グリッド（等間隔周波数グリッド）の中から選択される（ｎ＋１）種の波長（光周波数）を中心とした透過幅±Δλd ／２（±Δｆd ／２）以内の波長領域（光周波数領域）に分離する第１の波長分岐手段と、
１個の結合ポートとｎ個の分岐ポートを有し、該結合ポートに入力された光信号を、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離する第２の波長分岐手段とを備え、
前記第１の波長分岐手段の結合ポートは前記第１の入出力端側の伝送路に接続され、前記第１の波長分岐手段のｎ個の分岐ポートは前記第２の入出力端側の伝送路にそれぞれ接続され、前記第１の波長分岐手段の他の１つの分岐ポートは前記第２の波長分岐手段の結合ポートに接続され、前記第２の波長分岐手段のｎ個の分岐ポートは前記第２の入出力端側の伝送路にそれぞれ接続される
ことを特徴とする波長分岐器。
【請求項１８】
請求項１３に記載の波長分岐器は、
１個の結合ポートと（ｎ＋２）個の分岐ポートを有し、該結合ポートに入力された光信号を、等しい波長間隔Δλd （光周波数間隔Δｆd ）で決まる等間隔波長グリッド（等間隔周波数グリッド）の中から選択される（ｎ＋２）種の波長（光周波数）を中心とした透過幅±Δλd ／２（±Δｆd ／２）以内の波長領域（光周波数領域）に分離する第１の波長分岐手段と、
１個の結合ポートとｍ個の分岐ポートを有し、該結合ポートに入力された光信号を、等しい波長間隔Δλu （光周波数間隔Δｆu ）で決まる等間隔波長グリッド（等間隔周波数グリッド）の中から選択されるｍ種の波長（光周波数）を中心とした透過幅±Δλu ／２（±Δｆu ／２）以内の波長領域（光周波数領域）に分離する第２の波長分岐手段と、
１個の結合ポートと（ｎ−ｍ）個の分岐ポートを有する第２の波長分岐手段と同様の第３の波長分岐手段により構成され、
前記第１の波長分岐手段の結合ポートは前記第１の入出力端側の伝送路に接続され、前記第１の波長分岐手段のｎ個の分岐ポートは前記第２の入出力端側の伝送路にそれぞれ接続され、前記第１の波長分岐手段の他の２つの分岐ポートは前記第２および第３の波長分岐手段の各結合ポートにそれぞれ接続され、前記第２の波長分岐手段のｍ個の分岐ポートおよび前記第３の波長分岐手段の（ｎ−ｍ）個の分岐ポートは前記第２の入出力端側の伝送路にそれぞれ接続される
ことを特徴とする波長分岐器。
【請求項１９】
請求項１３に記載の波長分岐器は、
１個の結合ポートと２個の分岐ポートを有し、該結合ポートと該分岐ポートの間で光信号を分岐・結合する波長分岐結合手段と、
１個の結合ポートとｎ個の分岐ポートを有し、該結合ポートに入力された光信号を、等しい波長間隔Δλd （光周波数間隔Δｆd ）で決まる等間隔波長グリッド（等間隔周波数グリッド）の中から選択されるｎ種の波長（光周波数）を中心とした透過幅±Δλd ／２（±Δｆd ／２）以内の波長領域（光周波数領域）に分離する第１の波長分岐手段と、
１個の結合ポートとｎ個の分岐ポートを有し、該結合ポートに入力された光信号を、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離する第２の波長分岐手段により構成され、
前記波長分岐結合手段の結合ポートは前記第１の入出力端側の伝送路に接続され、前記波長分岐結合手段の２つの分岐ポートは前記第１および第２の波長分岐手段の各結合ポートにそれぞれ接続され、前記第１の波長分岐手段のｎ個の分岐ポートは前記第２の入出力端側の伝送路にそれぞれ接続され、前記第２の波長分岐手段のｎ個の分岐ポートは前記第２の入出力端側の伝送路にそれぞれ接続される
ことを特徴とする波長分岐器。
【請求項２０】
請求項１４〜１６のいずれかに記載の波長分岐器は、
１個の結合ポートと（ｎ＋１）個の分岐ポートを有し、該結合ポートに入力された光信号を、等しい波長間隔Δλd （光周波数間隔Δｆd ）で決まる等間隔波長グリッド（等間隔周波数グリッド）の中から選択される（ｎ＋１）種の波長（光周波数）を中心とした透過幅±Δλd ／２（±Δｆd ／２）以内の波長領域（光周波数領域）に分離する第１の波長分岐手段と、
１個の結合ポートとｎ個の分岐ポートを有し、該結合ポートに入力された光信号を、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離する第２および第３の波長分岐手段と、
光信号を結合・分岐するｎ個の波長分岐結合手段とにより構成され、
前記第１の波長分岐手段の結合ポートは前記第１の入出力端側の伝送路に接続され、前記第１の波長分岐手段のｎ個の分岐ポートは前記波長分岐結合手段を介して前記第２の入出力端側の伝送路にそれぞれ接続され、前記第１の波長分岐手段の他の１つの分岐ポートは前記第２の波長分岐手段の結合ポートに接続され、前記第２の波長分岐手段のｎ個の分岐ポートは前記波長分岐結合手段を介して前記第２の入出力端側の伝送路にそれぞれ接続され、前記第３の波長分岐手段のｎ個の分岐ポートは前記第２の入出力端側の伝送路にそれぞれ接続され、前記第３の波長分岐手段の結合ポートは前記第１の入出力端側の伝送路に接続される
ことを特徴とする波長分岐器。
【請求項２１】
請求項１７〜１９のいずれかに記載の波長分岐器において、
前記各波長分岐手段のｎ個の分岐ポートと前記第２の入出力端側の伝送路との間でそれぞれ光信号を分岐・結合するｎ個の波長分岐結合手段をさらに備えた
ことを特徴とする波長分岐器。
【請求項２２】
請求項１９〜２１のいずれかに記載の波長分岐器において、
前記波長分岐結合手段の少なくとも１つは、所定の波長の光信号を反射し、その他の波長の光信号を透過する光波長フィルタであることを特徴とする波長分岐器。
【請求項２３】
請求項１９〜２１のいずれかに記載の波長分岐器において、
前記波長分岐結合手段の少なくとも１つは、光信号を１本の光ファイバ伝送路に出力し、前記１本の光ファイバ伝送路から入力する光信号を取り込む３ポートの光サーキュレータであることを特徴とする波長分岐器。
【請求項２４】
請求項１９〜２１のいずれかに記載の波長分岐器において、
前記波長分岐結合手段の少なくとも１つは光カプラであることを特徴とする波長分岐器。
【請求項２５】
光スペクトル幅が波長幅Δλ（または周波数幅Δｆ）の光信号を送信する広スペクトル光源部と、光信号を受信する光受信器とを備えた光送受信部と、
前記光送受信部に接続され、所定の電気的処理を行う電気的処理手段と、
光ネットワークユニットの伝送路側の入出力端に配置され、前記伝送路から入力される全ての光信号の中から該光ネットワークユニットに相当する受信光信号を前記光受信器へ分離するとともに、前記広スペクトル光源部からの送信光信号を、波長幅Δλ（周波数幅Δｆ）の1／２以下の波長幅（周波数幅）でスペクトルスライスして前記伝送路に送出する光フィルタ手段とを備えた
ことを特徴とする光ネットワークユニット。
【請求項２６】
前記光フィルタ手段を前記光送受信部に対して着脱自在に取り付ける光コネクタをさらに備えたことを特徴とする請求項２５に記載の光ネットワークユニット。
【請求項２７】
請求項２５または２６に記載の光ネットワークユニットにおいて、
前記光フィルタ手段は、
前記送信光信号のスペクトルスライスにより得られる波長λsend±α（αは光スペクトル幅Δλ（周波数幅Δｆ）の1／４以下の波長幅（周波数幅））の光信号と、少なくとも前記受信光信号の波長λreceiveを含む、λsend±α以外の波長範囲の光信号とを多重・分離する第１の波長フィルタと、
λreceive±β（βは任意の波長幅）の光信号を選択する第２の波長フィルタとを備え、
前記送信光信号は、前記第１の波長フィルタを介して、λsendを中心とした波長でスペクトルスライスされると同時に前記伝送路からの光信号と方向多重された後で、前記伝送路へ送出され、
前記伝送路からの光信号からは、前記第１の波長フィルタで、前記伝送路へ送出される光信号以外の光信号が分離された後、前記第２の波長フィルタで、λreceive±βの光信号が当該光ネットワークユニットに関係しない他の光信号と分離され、前記光受信器へ出力される
ことを特徴とする光ネットワークユニット。
【請求項２８】
請求項２５または２６に記載の光ネットワークユニットにおいて、
前記光フィルタ手段は、
λsend±α（αは光スペクトル幅Δλ（周波数幅Δｆ）の1／４以下の波長幅（周波数幅））の光信号を選択する第１の波長フィルタと、
λreceive±β（λreceiveは前記受信光信号の波長、βは任意の波長幅）の光信号と、少なくともλsend±αを含むλreceive±β以外の波長範囲の光信号とを多重・分離する第２の波長フィルタとを備え、
前記送信光信号は、前記第１の波長フィルタを介して、λsendを中心とした波長でスペクトルスライスされた後、前記第２の波長フィルタを介して、前記伝送路からの光信号と方向多重されて前記伝送路へ送出され、
前記伝送路からの光信号からは、前記第２の波長フィルタで、λreceive±βの光信号が、当該光ネットワークユニットに関係しない他の光信号および前記伝送路へ送出される光信号と分離されて前記光受信器へ出力される
ことを特徴とする光ネットワークユニット。
【請求項２９】
センタ装置（ＯＳＵ）と複数ｎ個の光ネットワークユニット（ＯＮＵ）との間を光パワー分岐器および光ファイバ伝送路を介して接続し、前記ＯＳＵから前記各ＯＮＵへのそれぞれ波長の異なる下り光信号、および前記各ＯＮＵから前記ＯＳＵへのそれぞれ波長の異なる上り光信号を双方向伝送する光波長多重アクセスシステムであって、
少なくとも前記各ＯＮＵから前記ＯＳＵの間の光ファイバ伝送路において、各ＯＮＵに対応する各上り光信号の中心波長（中心周波数）は、等しい波長間隔Δλｕ（光周波数間隔Δｆｕ）で決まる等間隔波長グリッド（等間隔周波数グリッド）の中からそれぞれ任意に選択され、その波長誤差（周波数誤差）が±Δλｕ／２（±Δｆｕ／２）以内に設定され、
前記各ＯＮＵは、
光スペクトル幅が波長間隔Δλｕ（Δｆｕ）の２倍以上の上り光信号を送信する広スペクトル光源部と下り光信号を受信する光受信器とを備えた光送受信部と、
前記光送受信部に接続され、所定の電気的処理を行う電気的処理手段とを備え、
各ＯＮＵの前記光ファイバ伝送路側の入出力端に配置され、前記光ファイバ伝送路から入力される全ての下り光信号の中から各ＯＮＵに相当する下り光信号を前記光受信器へ分離するとともに、前記広スペクトル光源部からの上り光信号をＯＮＵ毎に設定された前記中心波長（中心周波数）を中心に、波長間隔Δλｕ（周波数間隔Δｆｕ）以内の波長幅（周波数幅）でスペクトルスライスして前記光ファイバ伝送路に送出する光フィルタ手段とを備えた
ことを特徴とする光波長多重アクセスシステム。
【請求項３０】
前記各ＯＮＵは、前記光フィルタ手段を前記光送受信部に対して着脱自在に取り付ける光コネクタをさらに備えたことを特徴とする請求項２９に記載の光波長多重アクセスシステム。
【請求項３１】
請求項２９または３０記載の光波長多重アクセスシステムにおいて、
少なくとも前記ＯＳＵから前記各ＯＮＵの間において、各ＯＮＵに対応する各下り光信号の中心波長（中心周波数）は、等しい波長間隔Δλｄ（光周波数間隔Δｆｄ）で決まる等間隔波長グリッド（等間隔周波数グリッド）の中からそれぞれ任意に選択され、その波長誤差（周波数誤差）が±Δλｄ／２（±Δｆｄ／２）以内に設定され、
前記下り光信号の波長間隔Δλｄ（光周波数間隔Δｆｄ）は、前記上り光信号の波長間隔Δλｕ（光周波数間隔Δｆｕ）の２倍以上に設定される
ことを特徴とする光波長多重アクセスシステム。
【請求項３２】
請求項２９〜３１のいずれかに記載の光波長多重アクセスシステムにおいて、
前記ＯＳＵからｋ番目のＯＮＵへの下り光信号の波長がλdkに設定され、ｋ番目のＯＮＵから前記ＯＳＵへの上り光信号の波長がλukに設定されており、
ｋ番目のＯＮＵの光フィルタ手段は、
λuk±α（αはΔλu／２以下）の光信号と、少なくとも波長λdkを含む、λuk±α以外の波長範囲の光信号とを多重・分離する第１の波長フィルタと、
λdk±β（βはΔλd／２以下）を選択する第２の波長フィルタとを備え、
同ＯＮＵの上り光信号は、前記広スペクトル光源部から、前記第１の波長フィルタを介して、λukを中心とした波長でスペクトルスライスされると同時に同ＯＮＵで受信する下り光信号と方向多重された後で、前記光ファイバ伝送路へ送出され、
同ＯＮＵの下り光信号は、前記第１の波長フィルタで、前記光ファイバ伝送路へ送出される同ＯＮＵの上り光信号と分離された後、前記第２の波長フィルタで、他の下り光信号から選択的に分離され、前記光受信器へ出力される
ことを特徴とする光波長多重アクセスシステム。
【請求項３３】
請求項２９〜３１のいずれかに記載の光波長多重アクセスシステムにおいて、
前記ＯＳＵからｋ番目のＯＮＵへの下り光信号の波長がλdkに設定され、ｋ番目のＯＮＵから前記ＯＳＵへの上り光信号の波長がλukに設定されており、
ｋ番目のＯＮＵの光フィルタ手段は、
λuk±α（αはΔλu／２以下）の光信号を選択する第１の波長フィルタと、
λdk±β（βはΔλd／２以下）の光信号と、少なくともλuk±αを含む、λdk±β以外の波長範囲の光信号とを多重・分離する第２の波長フィルタとを備え、
同ＯＮＵの上り光信号は、前記広スペクトル光源部から、前記第１の波長フィルタを介して、λukを中心とした波長でスペクトルスライスされた後、前記第２の波長フィルタを介して、同ＯＮＵで受信する下り光信号と方向多重された後、前記光ファイバ伝送路へ送出され、
同ＯＮＵの下り光信号は、前記第２の波長フィルタで、他の下り光信号、および前記光ファイバ伝送路へ送出される同ＯＮＵの上り光信号から選択的に分離され、前記光受信器へ出力される
ことを特徴とする光波長多重アクセスシステム。
【発明の詳細な説明】
【技術分野】
【０００１】
本発明は、センタ装置（ＯＳＵ）と複数の光ネットワークユニット（ＯＮＵ）との間で光信号を双方向伝送する光波長多重アクセスシステムに関する。
【背景技術】
【０００２】
光多重アクセスシステムの一形態として、波長分岐器を介して複数の信号を多重・分離するスター型光アクセス線路上において、各ＯＮＵが異なる波長を占有する光波長多重アクセスシステムが検討されている。
【０００３】
図１４は、従来の光波長多重アクセスシステムの構成例を示す（特許文献１）。ここでは、ＯＳＵからＯＮＵへの下り信号用として１つの波長帯λd を割り当て、ＯＮＵからＯＳＵへの上り信号用として１つの波長帯λu （≠λd)を割り当て、さらに波長帯λd の波長λd1〜λdnおよび波長帯λu の波長λu1〜λunをそれぞれ各ＯＮＵに割り当てる例を示す。
【０００４】
ＯＳＵ５０の送信部５１は、波長帯λd （波長λd1〜λdn）の下り光信号と波長帯λu （波長λu1〜λun）の上り用搬送光を波長多重し、光ファイバ伝送路１を介して波長分岐器６０へ送信する。波長分岐器６０は、波長帯λd の下り光信号と波長帯λu の上り用搬送光をそれぞれ分波し、波長λd1〜λdnの下り光信号および波長λu1〜λunの上り用搬送光を、光ファイバ伝送路３を介してそれぞれ対応するＯＮＵ７０−１〜７０−ｎへ送信する。
【０００５】
ＯＮＵ７０−１は、伝送されてきた波長λd1の下り光信号と波長λu1の上り用搬送光をＷＤＭカプラ７１で分波し、波長λd1の下り光信号を光受信器３２で受信し、波長λu1の上り用搬送光を光変調器７３で変調し、上り光信号として光ファイバ伝送路４を介して波長分岐器６０へ送信する。他のＯＮＵについても同様である。各ＯＮＵから送信された波長λu1〜λunの上り光信号は波長分岐器６０で波長多重され、上りの光ファイバ伝送路２を介してＯＳＵ５０へ伝送され、受信部５２に受信される。
【０００６】
ここで、下り光信号の波長帯λd （波長λd1〜λdn）と、上り用搬送光の波長帯λu （波長λu1〜λun）は、図１４に示すように、波長軸上で重ならないように配置される。波長分岐器６０として用いるアレイ導波路回折格子（ＡＷＧ）は、ＦＳＲ（フリースペクトルレンジ）間隔の波長を同時に合分波する特性をもつ。このＦＳＲの特性により、下り信号波長（例えばλd1）と上り信号波長（例えばλu1）を同じポートに分波することができる。本従来例は、この機能を利用することにより、各ＯＮＵの構成要素の共通化（少品種化）を図っている。すなわち、各ＯＮＵでは、波長帯λd と波長帯λu を分離する同一仕様のＷＤＭカプラ７１を用いることにより、下り光信号と上り用搬送光を分離することができ、光受信器７２で上り用搬送光が干渉を引き起こすことをなくしている。
【０００７】
なお、波長λu1〜λunの上り用搬送光は、ＯＳＵ５０の送信部５１から送信する際には波長λu1〜λunを含む広帯域光とし、波長分岐器６０で波長λu1〜λunの上り用搬送光にスペクトルスライスして各ＯＮＵに送出する方法も提案されている（特許文献２）。
【０００８】
ところで、このような工夫は、上記のようにＯＮＵ７０−１〜７０−ｎの構成要素の共通化（少品種化）を目的としている。すなわち、まずＯＳＵ５０から各波長の上り用搬送光を各ＯＮＵに供給することにより、各ＯＮＵはそれぞれ割り当てられる波長の光源を個々に備える必要がなく共通化することができる。次に、上記のようにＡＷＧの機能を利用して下り信号用の波長帯λd と上り信号用の波長帯λu を分けることにより、各ＯＮＵのＷＤＭカプラ７１を共通化することができる。
【０００９】
また、特許文献３および特許文献４においても、スペクトルスライス方式により、ＯＮＵを単一品種化して製造コストを低減させることが提案されている。
【００１０】
このほか、単一方向のポイントツーポイント伝送システムとしては、その光源部分を、広スペクトル光源およびバンドパス型の１入力１出力光フィルタを用いて構成することで、スペクトルスライス方式を適用した例がある（特許文献５）。
【００１１】
また、図１５に示すように、ＡＷＧや多ポート波長フィルタを用いた波長分岐器６０を介して、ＯＳＵ５０と複数のＯＮＵ７０−１〜７０−ｎが対向する構成において、各ＯＮＵに波長領域で広いスペクトル幅を有する広帯域光を変調する光送信器７５を共通に配置し、この広帯域光（λu ）を各ＯＮＵで変調して上り光信号として送信し、波長分岐器６０でスペクトルスライスして波長多重し、ＯＳＵ５０に伝送する構成も提案されている（非特許文献１）。この構成は、実質的に各ＯＮＵからそれぞれ異なる波長の上り光信号を送信する構成と等価であるが、各ＯＮＵに同一仕様の光源を配置できることが特徴になっている。
【００１２】
なお、光スペクトル幅の広い変調光を得るためには、スーパールミネッセントダイオードまたは半導体光増幅器を電気信号で直接変調するか、半導体光増幅器またはエルビウム添加光ファイバ増幅器の出力光（広帯域無変調光）を外部変調器で変調する方法が可能である。
【特許文献１】特開２０００−１９６５３６号公報
【特許文献２】特開２００１−１７７５０５号公報
【特許文献３】特開平８−８８７８号公報
【特許文献４】特願２００２−２３１６３２（特開２００３−１３４０５８号公報
【特許文献５】特開平７−１７７１２７号公報
【非特許文献１】Akimoto, K. et al., "Spectrum-sliced, 25-GHz spaced, 155 Mbps x 32 channel WDM access", The 4th Pacific Rim Conference on Lasers and Electro-Optics, 2001(CLEO/Pacific Rim 2001), Vol. 2, pp. II-556-557
【００１３】
一方、光多重アクセスシステムの他の形態として、光パワー分岐器を介して複数の信号を結合・分配するスター型光アクセス線路上において、各ＯＮＵが異なる波長を占有してＯＳＵと双方向通信を行うシステムがある。こうしたシステムとしては、各ＯＮＵに異なるタイムスロットを割り当てる時分割多重システムが一般的である（ITU-T標準G.983.1 Ｂ−ＰＯＮシステム等）。
【発明の開示】
【発明が解決しようとする課題】
【００１４】
ところで、指定された波長の光信号を生成するために用いるレーザ光源は、多重される複数の光信号の波長間隔が例えば数ｎｍ以下になると、温度制御等による波長制御回路が必要になり、コスト上昇が避けられない。一般的な分布帰還型（ＤＦＢ）レーザを温度制御回路なしで使用すると、例えば±35℃程度の範囲で±６〜７ｎｍ程度の波長変化が生じるので、これを考慮して20ｎｍ間隔の波長間隔がＩＴＵ−Ｔ（国際電気通信連合電気通信標準化部門）で標準化されている（ＩＴＵ−Ｔ G.694.2） 。
【００１５】
この基準に基づいて図１４に示す光波長多重アクセスシステムを構成すると、上り用搬送光の波長λu1〜λunは20ｎｍ間隔となり、ｎ個のＯＮＵの光変調器７３に要求される波長帯域は20×ｎ（ｎｍ）程度が必要になる。一方、光変調器７３として、半導体光増幅器や電界吸収型光変調器を用いる場合、その動作波長帯域は20〜60ｎｍ程度であるため、１品種の光変調器で対応しようとすると、１〜３個のＯＮＵしか接続できないことになる。
【００１６】
また、上記の基準に基づいて図１５に示す光波長多重アクセスシステムを構成する場合、ｎ個のＯＮＵの光送信器７５に要求される波長帯域は20×ｎ（ｎｍ）程度が必要になる。一方、光送信器７５の光源として、スーパールミネッセントダイオード、半導体光増幅器、またはエルビウム添加光ファイバ増幅器を用いる場合、その光スペクトル幅は20〜60ｎｍ程度であるため、１品種の光源で対応しようとすると、１〜３個のＯＮＵしか接続できないことになる。
【００１７】
一方、上述したように、光パワー分岐器を介して複数の信号を結合・分配するスター型光アクセス線路上において、各ＯＮＵが異なる波長を占有してＯＳＵと双方向通信を行う場合、各ＯＮＵには、それぞれ波長の異なる光源を搭載する必要があり、ＯＮＵの多品種化によるコスト増が問題となる。また、光パワー分岐器を介して複数の信号を結合・分配するスター型光アクセス線路上で、スペクトルスライス方式を適用してＯＳＵと各ＯＮＵとの間で双方向通信を行うためのＯＮＵ構成を明らかにしたものは見当たらない。
【００１８】
本発明は、光信号の生成に際して温度制御回路の必要性を低減し、かつＯＮＵの共通化（少品種化）を図りながら多くのＯＮＵを接続することができる光波長多重アクセスシステム及び該システムに用いる波長分岐器を提供することを目的とする。
【００１９】
また、本発明は、光パワー分岐器を介して複数の信号を結合・分配するスター型光アクセス線路上で各ＯＮＵが異なる波長を占有してＯＳＵと双方向通信を行う形態においても、ＯＮＵの共通化（少品種化）を図ることが可能な光波長多重アクセスシステムを提供するとともに、かかる光波長多重アクセスシステムに適用されるＯＮＵの具体的構成を提示することを目的とする。
【課題を解決するための手段】
【００２０】
本発明の光波長多重アクセスシステムは、センタ装置（ＯＳＵ）と複数ｎ個の光ネットワークユニット（ＯＮＵ）との間を波長分岐器および光ファイバ伝送路を介して接続し、ＯＳＵから各ＯＮＵへの下り光信号、および各ＯＮＵからＯＳＵへの上り光信号を双方向伝送する光波長多重アクセスシステムであって、下り光信号の波長間隔Δλd （光周波数間隔Δｆd ）は、上り光信号の波長間隔Δλu （光周波数間隔Δｆu ）の２倍以上に設定され、少なくともＯＳＵから波長分岐器の間において、各ＯＮＵに対応する各下り光信号の中心波長（中心周波数）は、等しい波長間隔Δλd （光周波数間隔Δｆd ）で決まる等間隔波長グリッド（等間隔周波数グリッド）の中からそれぞれ任意に選択され、その波長誤差（光周波数誤差）が±Δλd ／２（±Δｆd ／２）以内に設定され、少なくとも波長分岐器からＯＳＵの間において、各ＯＮＵに対応する各上り光信号の中心波長（中心周波数）は、等しい波長間隔Δλu （光周波数間隔Δｆu ）で決まる等間隔波長グリッド（等間隔周波数グリッド）の中からそれぞれ任意に選択され、その波長誤差（光周波数誤差）が±Δλu ／２（±Δｆu ／２）以内に設定されている（請求項１〜４）。
また、請求項１記載の光波長多重アクセスシステムでは、各ＯＮＵは光スペクトル幅がΔλu （Δｆu ）の２倍以上の上り光信号をそれぞれ送信し、波長分岐器は各ＯＮＵから送信された上り光信号を光スペクトル幅がΔλu （Δｆu ）以内で互いに異なる波長（光周波数）にスペクトルスライスし、さらに波長多重してＯＳＵに送出する構成である。
【００２１】
また、請求項２記載の光波長多重アクセスシステムでは、ＯＳＵは上り光信号の波長間隔（光周波数間隔）に対応する上り用搬送光を送信し、波長分岐器はこの上り用搬送光を分波して各ＯＮＵに供給し、各ＯＮＵは上り用搬送光をそれぞれ変調して上り光信号として送信し、波長分岐器は各ＯＮＵから送信された上り光信号を波長多重してＯＳＵに送出する構成である。
【００２２】
また、請求項３記載の光波長多重アクセスシステムでは、ＯＳＵは光スペクトル幅がΔλu （Δｆu ）の２倍以上の上り用搬送光を送信し、波長分岐器はこの上り用搬送光を光スペクトル幅がΔλu （Δｆu ）以内で互いに異なる波長（光周波数）にスペクトルスライスして各ＯＮＵに供給し、各ＯＮＵは各波長（各光周波数）の上り用搬送光をそれぞれ変調して上り光信号として送信し、波長分岐器は各ＯＮＵから送信された上り光信号を波長多重してＯＳＵに送出する構成である。
【００２３】
また、請求項４記載の光波長多重アクセスシステムでは、ＯＳＵは光スペクトル幅がΔλu （Δｆu ）の２倍以上の上り用搬送光を送信し、波長分岐器はこの上り用搬送光をｎ分岐して各ＯＮＵに供給し、各ＯＮＵは上り用搬送光をそれぞれ変調して上り光信号として送信し、波長分岐器は各ＯＮＵから送信された上り光信号を光スペクトル幅がΔλu （Δｆu ）以内で互いに異なる波長（光周波数）にスペクトルスライスし、さらに波長多重してＯＳＵに送出する構成である。
【００２４】
本発明の波長分岐器は、上述した請求項１〜４記載の光波長多重アクセスシステムに適用される波長分岐器である（請求項１３〜１６）。
すなわち、請求項１３記載の波長分岐器は、第１の入出力端および第２の入出力端を有する波長分岐器であって、前記第２の入出力端側の伝送路から入力される光スペクトル幅が波長間隔Δλｕ（光周波数間隔Δｆｕ）の２倍以上の光信号を光スペクトル幅が波長間隔Δλｕ（光周波数間隔Δｆｕ）以内で互いに異なる波長（光周波数）にスペクトルスライスし、さらに波長多重して前記第１の入出力端側の伝送路に送出し、前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路に送出する構成である。
【００２５】
また、請求項１４記載の波長分岐器は、第１の入出力端および第２の入出力端を有する波長分岐器であって、前記第２の入出力端側の伝送路から入力される波長間隔Δλｕ（光周波数間隔Δｆｕ）の光信号を波長多重して前記第１の入出力端側の伝送路に送出し、前記第１の入出力端側の伝送路から入力され、前記第２の入出力端側の伝送路から入力される波長間隔Δλｕ（光周波数間隔Δｆｕ）の光信号に対応する波長多重光信号を分波して前記第２の入出力端側の伝送路にそれぞれ供給し、前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路にそれぞれ供給する構成である。
【００２６】
また、請求項１５記載の波長分岐器は、第１の入出力端および第２の入出力端を有する波長分岐器であって、前記第２の入出力端側の伝送路から入力される波長間隔Δλｕ（光周波数間隔λｆｕ）の光信号を波長多重して前記第１の入出力端側の伝送路に送出し、前記第１の入出力端側の伝送路から入力され、光スペクトル幅が波長間隔Δλｕ（光周波数間隔Δｆｕ）の２倍以上の光信号を光スペクトル幅が波長間隔Δλｕ（光周波数間隔Δｆｕ）以内で互いに異なる波長（光周波数）にスペクトルスライスして前記第２の入出力端側の伝送路にそれぞれ供給し、前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路にそれぞれ送出する構成である。
【００２７】
また、請求項１６記載の波長分岐器は、第１の入出力端および第２の入出力端を有する波長分岐器であって、前記第２の入出力端側の伝送路から入力される光スペクトル幅がΔλｕ（光周波数間隔Δｆｕ）の２倍以上に設定された光信号を光スペクトル幅が波長間隔Δλu （光周波数間隔Δｆu ）以内で互いに異なる波長（光周波数）にスペクトルスライスし、さらに波長多重して前記第１の入出力端側の伝送路に送出し、前記第１の入出力端側の伝送路から入力され、波長間隔Δλｄ（光周波数間隔Δｆｄ）が波長間隔Δλｕ（光周波数間隔Δｆｕ）の２倍以上に設定された波長多重光信号を分波して前記第２の入出力端側の伝送路にそれぞれ送出し、前記第１の入出力端側の伝送路から入力される光スペクトル幅がΔλｕ（光周波数間隔Δｆｕ）の２倍以上の光信号を分岐して前記第２の入出力端側の伝送路にそれぞれ送出する構成である。
【００２８】
また、本発明の光波長多重アクセスシステムは、センタ装置（ＯＳＵ）と複数ｎ個の光ネットワークユニット（ＯＮＵ）との間を光パワー分岐器および光ファイバ伝送路を介して接続し、前記ＯＳＵから前記各ＯＮＵへのそれぞれ波長の異なる下り光信号、および前記各ＯＮＵから前記ＯＳＵへのそれぞれ波長の異なる上り光信号を双方向伝送する光波長多重アクセスシステムであって、少なくとも前記各ＯＮＵから前記ＯＳＵの間の光ファイバ伝送路において、各ＯＮＵに対応する各上り光信号の中心波長（中心周波数）は、等しい波長間隔Δλｕ（光周波数間隔Δｆｕ）で決まる等間隔波長グリッド（等間隔周波数グリッド）の中からそれぞれ任意に選択され、その波長誤差（周波数誤差）が±Δλｕ／２（±Δｆｕ／２）以内に設定され、前記各ＯＮＵは、光スペクトル幅が波長間隔Δλｕ（Δｆｕ）の２倍以上の上り光信号を送信する広スペクトル光源部と下り光信号を受信する光受信器とを備えた光送受信部と、前記光送受信部に接続され、所定の電気的処理を行う電気的処理手段とを備え、各ＯＮＵの前記光ファイバ伝送路側の入出力端に配置され、前記光ファイバ伝送路から入力される全ての下り光信号の中から各ＯＮＵに相当する下り光信号を前記光受信器へ分離するとともに、前記広スペクトル光源部からの上り光信号をＯＮＵ毎に設定された前記中心波長（中心周波数）を中心に、波長間隔Δλｕ（周波数間隔Δｆｕ）以内の波長幅（周波数幅）でスペクトルスライスして前記光ファイバ伝送路に送出する光フィルタ手段と、前記光フィルタ手段を前記光送受信部に対して着脱自在に取り付ける光コネクタとを備えた構成である（請求項２９）。
【００２９】
また、本発明の光ネットワークユニットは、上述した請求項２９記載の光波長多重アクセスシステムの各ＯＮＵに適用されるものであって、光スペクトル幅が波長幅Δλ（または周波数幅Δｆ）の光信号を送信する広スペクトル光源部と、光信号を受信する光受信器とを備えた光送受信部と、前記光送受信部に接続され、所定の電気的処理を行う電気的処理手段と、光ネットワークユニットの伝送路側の入出力端に配置され、前記伝送路から入力される全ての光信号の中から該光ネットワークユニットに相当する受信光信号を前記光受信器へ分離するとともに、前記広スペクトル光源部からの送信光信号を、波長幅Δλ（周波数幅Δｆ）の1／２以下の波長幅（周波数幅）でスペクトルスライスして前記伝送路に送出する光フィルタ手段と、前記光フィルタ手段を前記光送受信部に対して着脱自在に取り付ける光コネクタとを備えた構成である（請求項２５）。
【発明の効果】
【００３０】
以上説明したように、請求項１〜４記載の光波長多重アクセスシステムは、上り光信号の波長間隔を下り光信号の波長間隔に比べて狭くし、かつ波長分岐器でスペクトルスライスする構成とすることにより、各ＯＮＵで上り光信号を生成する光源、あるいはＯＳＵから供給された上り用搬送光を変調する光変調器として、各ＯＮＵで同一仕様でかつ温度制御の必要のないものを用いることができ、多くのＯＮＵを接続することができる。
【００３１】
また、請求項２９記載の光波長多重アクセスシステムによれば、光パワー分岐器を介して複数の信号を結合・分配する光アクセスシステムで、スペクトルスライス方式を適用し、各ＯＮＵが異なる波長を占有してセンタ装置（ＯＳＵ）と通信を実現できる。広スペクトル光源部、光受信部、電気的処理部分から成り、能動的機能を有するＯＮＵ部分を、光フィルタ手段に相当する受動的機能部分から容易に分離できる構成とすることで、ＯＮＵを単一品種化でき、トータルの製造コストを低減できる。光フィルタ手段は、光コネクタ手段により光送受信部と簡易に着脱できるように構成することで、導入は、単一品種のＯＮＵに、ユーザ毎に割り当てられた光フィルタ手段を装着することで実現できるようになり、運用性が向上する。
【発明を実施するための最良の形態】
【００３２】
（本発明の光波長多重アクセスシステムの第１の実施形態）
図１は、本発明の光波長多重アクセスシステムの第１の実施形態を示す。図において、ＯＳＵ１０は、波長λd1〜λdnの下り光信号を波長多重し、光ファイバ伝送路１を介して波長分岐器２０へ送信する。波長分岐器２０は、波長λd1〜λdnの下り光信号を分波し、光ファイバ伝送路３を介してそれぞれ対応するＯＮＵ３０−１〜３０−ｎへ送出する。
【００３３】
ＯＮＵ３０−１〜３０−ｎは、伝送されてきた波長λd1〜λdnの下り光信号をそれぞれ受信する。また、ＯＮＵ３０−１〜３０−ｎは、それぞれ同じ波長帯域λu の上り光信号を生成し、光ファイバ伝送路３を介して波長分岐器２０へ送信する。各ＯＮＵから送信された上り光信号は波長分岐器２０で波長λu1〜λunにスペクトルスライスして波長多重され、光ファイバ伝送路１を介してＯＳＵ１０へ伝送される。
【００３４】
なお、上述の説明から明らかなように、波長分岐器２０の用途は「分岐」に限定されるものではなく、分岐を行う場合とは逆方向に光信号を伝搬させた場合には結合器として機能する。つまり、波長分岐器２０は波長分岐結合器として機能するが、本明細書では簡便のため単に「波長分岐器」と呼ぶこととする。
また、図２〜図５を参照して後に詳述するように、本実施形態の光波長多重アクセスシステムでは、ＯＳＵ１０と波長分岐器２０の間は１心の光ファイバ伝送路で接続され、波長分岐器２０とｎ個の各ＯＮＵ３０−１〜３０−ｎとの間はいずれも１心ないし２心の光ファイバ伝送路を介して接続される。
【００３５】
波長λd1〜λdnの下り光信号は、等しい波長間隔Δλd （光周波数間隔Δｆd ）で決まる等間隔波長グリッド（等間隔周波数グリッド）の中からそれぞれ任意に選択され、その波長誤差（光周波数誤差）は±Δλd ／２（±Δｆd ／２）以内である。また、波長λu1〜λunの上り光信号は、等しい波長間隔Δλu （光周波数間隔Δｆu ）で決まる等間隔波長グリッド（等間隔周波数グリッド）の中からそれぞれ任意に選択され、その波長誤差（光周波数誤差）は±Δλu ／２（±Δｆu ／２）以内である。
【００３６】
ここで、本発明の特徴は、下り光信号の波長間隔Δλd （光周波数間隔Δｆd ）を、上り光信号の波長間隔Δλu （光周波数間隔Δｆu ）の２倍以上に設定するところにある。すなわち、波長λd1〜λdnの下り光信号の帯域に比べて、波長λu1〜λunの上り光信号の帯域を狭くし、例えば１チャネルの下り光信号の波長帯域にλu1〜λunの上り光信号の全チャネルが入るようにする。このように、上り光信号の波長間隔を狭めることにより、各ＯＮＵで上り光信号を生成する光源に同一仕様のものを用いることができるので、多くのＯＮＵを接続することができる。以下、具体例について説明する。
【００３７】
光ファイバ伝送路１を伝搬する波長λd1〜λdnの下り光信号は、例えば波長間隔Δλd ＝20ｎｍの等間隔波長グリッド1270＋20ｎ［ｎｍ］（ＩＴＵ−Ｔ G.694.2ではｎ＝０〜17と規定）の中からそれぞれ任意に選択される。波長誤差を例えば±６〜７ｎｍとすれば、±35℃程度の範囲においてＤＦＢレーザで十分に対応することができる。
【００３８】
一方、ＯＮＵ３０−１〜３０−ｎから送信される上り光信号の光スペクトル幅は、例えば波長1544.5〜1555.7ｎｍの範囲の11.2ｎｍとすると、波長分岐器２０で例えば光スペクトル幅 200ＧHz（1550ｎｍ近辺において約1.6 ｎｍ）でスペクトルスライスすることにより、194100ＧHz（＝1544.5ｎｍ）から192700ＧHz（＝1555.7ｎｍ）±100 ＧHzまで８波の上り光信号を得ることができる。すなわち、８個のＯＮＵからの上り光信号を波長多重することができる。
【００３９】
また、ＯＮＵ３０−１〜３０−ｎから送信される上り光信号の光スペクトル幅は、例えば波長1299.5〜1315.5ｎｍの範囲の16.0ｎｍとすると、波長分岐器２０で例えば光スペクトル幅 400ＧHz（1300ｎｍ近辺において約2.3 ｎｍ）でスペクトルスライスすることにより、230700ＧHz（＝1299.5ｎｍ）から227900ＧHz（＝1315.5ｎｍ）±200 ＧHzまで８波の上り光信号を得ることができる。すなわち、８個のＯＮＵからの上り光信号を波長多重することができる。なお、このときの下り光信号の波長は、20ｎｍ間隔で例えば1450ｎｍ〜1590ｎｍ±６〜７ｎｍの８波とする。
【００４０】
このような最小光スペクトル幅が11.2ｎｍや16.0ｎｍ程度の上り光信号は、スーパールミネッセントダイオード、半導体光増幅器、またはエルビウム添加光ファイバ増幅器などの光源を用いて生成することができるので、上記の例では８個のＯＮＵを同一仕様のもので対応することができる。
【００４１】
ところで、本実施形態では、上り光信号の伝送のみにスペクトルスライスを適用しているために、上りと下りで伝送方式が異なることになり、伝送可能なビットレートが異なる可能性がある。この場合でも、ＯＳＵとＯＮＵに等ビットレートのインタフェースを設けることができる（上記特許文献４）。例えば、スペクトルスライスを利用する上り光信号のビットレートを数100 Ｍbit/s 以上にできない場合には、ＯＳＵとＯＮＵにギガビットイーサネット（登録商標）インタフェースを備え、下り光信号のビットレートを1.25Ｇbit/s （ギガビットイーサネット（登録商標）の通常の伝送速度）、上り光信号のビットレートを 125Ｍbit/s と設定することができる。
【００４２】
（第１の実施形態の波長分岐器２０の第１の構成例）
図２は、本発明の光波長多重アクセスシステムの第１の実施形態の波長分岐器２０の第１の構成例を示す。
【００４３】
図において、波長分岐器２０は、１個の結合ポートと（ｎ＋１）個の分岐ポートを有し、等しい波長間隔Δλd （光周波数間隔Δｆd ）で決まる等間隔波長グリッド（等間隔周波数グリッド）の中から選択される（ｎ＋１）種の波長（光周波数）を中心とした透過幅±Δλd ／２（±Δｆd ／２）以内の波長領域（光周波数領域）に分離するＣＷＤＭ（Coarse Wavelength-Division Multiplexing）カプラ２１と、１個の結合ポートとｎ個の分岐ポートを有し、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離するＤＷＤＭ（Dense Wavelength-Division Multiplexing）カプラ２２により構成される。
【００４４】
なお、ＤＷＤＭカプラ２２の分岐ポート＃１〜＃ｎに光信号が入力された場合、ＤＷＤＭカプラ２２は入力された各光信号をスペクトルスライスしたのち、スペクトルスライスされた光信号を波長多重して結合ポート＃０から出力する。これは、後で述べるＤＷＤＭカプラ２４−１，２４−２についても同様である。
【００４５】
ＣＷＤＭカプラ２１の結合ポート＃０は、光ファイバ伝送路１を介してＯＳＵ１０に接続される。ＣＷＤＭカプラ２１のｎ個の分岐ポート＃１〜＃ｎは、光ファイバ伝送路３を介してＯＮＵ３０−１〜３０−ｎに接続される。ＣＷＤＭカプラ２１の分岐ポート＃ｎ＋１は、ＤＷＤＭカプラ２２の結合ポート＃０に接続される。ＤＷＤＭカプラ２２のｎ個の分岐ポート＃１〜＃ｎは、光ファイバ伝送路４を介してＯＮＵ３０−１〜３０−ｎに接続される。
【００４６】
ＣＷＤＭカプラ２１の結合ポート＃０に入力する波長λd1〜λdnの下り光信号は分岐ポート＃１〜＃ｎに分岐され、光ファイバ伝送路３を介してそれぞれ対応するＯＮＵ３０−１〜３０−ｎへ伝送される。ＯＮＵ３０−１〜３０−ｎからＤＷＤＭカプラ２２の分岐ポート＃１〜＃ｎに入力する波長λu の上り光信号は、波長λu1〜λunにスペクトルスライスされて結合ポート＃０に波長多重される。このｎ波の上り光信号はＣＷＤＭカプラ２１の分岐ポート＃ｎ＋１に入力され、ｎ波の上り光信号が１波の下り光信号と同等の扱いで、ＣＷＤＭカプラ２１の結合ポート＃０から送出される。ｎ＝８の場合の具体的な波長割り当て例を図２に示す。
【００４７】
ここで、ＣＷＤＭカプラ２１は、それぞれ異なる波長を透過（または反射）し、他の波長を反射（または透過）する波長フィルタ（例えば誘電体多層膜フィルタ）を多段に接続した多ポート波長フィルタ、あるいはガラス基板上にプレーナ光回路として掲載されたアレイ導波路回折格子（ＡＷＧ）フィルタにより構成することができる。ＤＷＤＭカプラ２２は、ＣＷＤＭカプラ２１とは異なる波長間隔を有する多ポート波長フィルタあるいはＡＷＧフィルタにより構成することができる。
【００４８】
（第１の実施形態の波長分岐器２０の第２の構成例）
図３は、本発明の光波長多重アクセスシステムの第１の実施形態の波長分岐器２０の第２の構成例を示す。
【００４９】
図において、波長分岐器２０は、１個の結合ポートと（ｎ＋２）個の分岐ポートを有し、等しい波長間隔Δλd （光周波数間隔Δｆd ）で決まる等間隔波長グリッド（等間隔周波数グリッド）の中から選択される（ｎ＋２）種の波長（光周波数）を中心とした透過幅±Δλd ／２（±Δｆd ／２）以内の波長領域（光周波数領域）に分離するＣＷＤＭカプラ２３と、１個の結合ポートとｍ個の分岐ポートを有し、等しい波長間隔Δλu （光周波数間隔Δｆu ）で決まる等間隔波長グリッド（等間隔周波数グリッド）の中から選択されるｍ種の波長（光周波数）を中心とした透過幅±Δλu ／２（±Δｆu ／２）以内の波長領域（光周波数領域）に分離するＤＷＤＭカプラ２４−１と、１個の結合ポートと（ｎ−ｍ）個の分岐ポートを有する同様のＤＷＤＭカプラ２４−２により構成される。
【００５０】
ＣＷＤＭカプラ２３の結合ポート＃０は、光ファイバ伝送路１を介してＯＳＵ１０に接続される。ＣＷＤＭカプラ２３のｎ個の分岐ポート＃１〜＃ｎは、光ファイバ伝送路３を介してＯＮＵ３０−１〜３０−ｎに接続される。ＣＷＤＭカプラ２３の分岐ポート＃ｎ＋１，＃ｎ＋２は、ＤＷＤＭカプラ２４−１，２４−２の各結合ポート＃０に接続される。ＤＷＤＭカプラ２４−１のｍ個の分岐ポート＃１〜＃ｍ、ＤＷＤＭカプラ２４−２の（ｎ−ｍ）個の分岐ポート＃ｍ＋１〜＃ｎは、光ファイバ伝送路４を介してＯＮＵ３０−１〜３０−ｎに接続される。
【００５１】
ＣＷＤＭカプラ２３の結合ポート＃０に入力する波長λd1〜λdnの下り光信号は分岐ポート＃１〜＃ｎに分岐され、光ファイバ伝送路３を介してそれぞれ対応するＯＮＵ３０−１〜３０−ｎへ伝送される。ＯＮＵ３０−１〜３０−ｍからＤＷＤＭカプラ２４−１の分岐ポート＃１〜＃ｍに入力する波長λu の上り光信号は、波長λu1〜λumにスペクトルスライスされて結合ポート＃０に波長多重される。ＯＮＵ３０−（ｍ＋１）〜３０−ｎからＤＷＤＭカプラ２４−２の分岐ポート＃ｍ＋１〜＃ｎに入力する波長λu の上り光信号は、波長λu(m+1)〜λunにスペクトルスライスされて結合ポート＃０に波長多重される。このｍ波および（ｎ−ｍ）波の上り光信号はＣＷＤＭカプラ２３の分岐ポート＃ｎ＋１，＃ｎ＋２に入力され、ｍ波および（ｎ−ｍ）波の各上り光信号が２波の下り光信号と同等の扱いで、ＣＷＤＭカプラ２３の結合ポート＃０から送出される。ｎ＝16、ｍ＝８の場合の具体的な波長割り当て例を図３に示す。
【００５２】
本構成例では、ＯＮＵ３０−１〜３０−ｎから送信される上り光信号の光スペクトル幅が波長1525.7〜1555.7ｎｍの範囲の30ｎｍとしたときに２つのグループに分け、ＤＷＤＭ２４−１，２４−２で光スペクトル幅 200ＧHz（1550ｎｍ近辺において約1.6 ｎｍ）でスペクトルスライスすることにより、196500ＧHz（＝1525.7ｎｍ）から192700ＧHz（＝1555.7ｎｍ）±100 ＧHzまで16波の上り光信号が得られるようになっている。
【００５３】
（第１の実施形態の波長分岐器２０の第３の構成例）
図４は、本発明の光波長多重アクセスシステムの第１の実施形態の波長分岐器２０の第３の構成例を示す。
【００５４】
図において、波長分岐器２０は、１個の結合ポートと２個の分岐ポートを有し、波長λd1〜λdnの下り光信号と波長λu1〜λunの上り光信号を分岐・結合するＷＤＭカプラ２５と、１個の結合ポートとｎ個の分岐ポートを有し、等しい波長間隔Δλd （光周波数間隔Δｆd ）で決まる等間隔波長グリッド（等間隔周波数グリッド）の中から選択されるｎ種の波長（光周波数）を中心とした透過幅±Δλd ／２（±Δｆd ／２）以内の波長領域（光周波数領域）に分離するＣＷＤＭカプラ２６と、１個の結合ポートとｎ個の分岐ポートを有し、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離するＤＷＤＭカプラ２２により構成される。
【００５５】
ＷＤＭカプラ２５の結合ポート＃０は、光ファイバ伝送路１を介してＯＳＵ１０に接続される。ＷＤＭカプラ２５の２つの分岐ポート＃１，＃２は、ＣＷＤＭカプラ２６およびＤＷＤＭカプラ２２の各結合ポート＃０に接続される。ＣＷＤＭカプラ２６のｎ個の分岐ポート＃１〜＃ｎは、光ファイバ伝送路３を介してＯＮＵ３０−１〜３０−ｎに接続される。ＤＷＤＭカプラ２２のｎ個の分岐ポート＃１〜＃ｎは、光ファイバ伝送路４を介してＯＮＵ３０−１〜３０−ｎに接続される。
【００５６】
ＷＤＭカプラ２５の結合ポート＃０に入力する波長λd1〜λdnの下り光信号は分岐ポート＃１に分岐され、さらにＣＷＤＭカプラ２６の結合ポート＃０から分岐ポート＃１〜＃ｎに分岐され、光ファイバ伝送路３を介してそれぞれ対応するＯＮＵ３０−１〜３０−ｎへ伝送される。ＯＮＵ３０−１〜３０−ｎからＤＷＤＭカプラ２２の分岐ポート＃１〜＃ｎに入力する波長λu の上り光信号は、波長λu1〜λunにスペクトルスライスされて結合ポート＃０に波長多重される。このｎ波の上り光信号はＷＤＭカプラ２５の分岐ポート＃２に入力され、結合ポート＃０から送出される。ｎ＝16の場合の具体的な波長割り当て例を図４に示す。
【００５７】
（第１の実施形態の波長分岐器２０の第４の構成例）
図５は、本発明の光波長多重アクセスシステムの第１の実施形態の波長分岐器２０の第４の構成例を示す。
【００５８】
図２に示す第１の構成例では、波長分岐器２０とＯＮＵ３０−１〜３０−ｎとの接続に２本の光ファイバ伝送路３，４を用いていた。本構成例では、波長λd1〜λdnの下り光信号と波長λu の上り光信号を分岐するＷＤＭカプラ２５−１〜２５−ｎを用い、ＣＷＤＭカプラ２１の分岐ポート＃１〜＃ｎとＤＷＤＭカプラ２２の分岐ポート＃１〜＃ｎを、それぞれＷＤＭカプラ２５−１〜２５−ｎに接続し、１本の光ファイバ伝送路３を介してＯＮＵ３０−１〜３０−ｎに接続する。
【００５９】
ここでは、図２に示す第１の構成例に適用した例を示したが、同様に図３に示す第２の構成例、および図４に示す第３の構成例にも同様に適用することができる。
【００６０】
（本発明の光波長多重アクセスシステムの第２の実施形態〜第４の実施形態）
図６は、本発明の光波長多重アクセスシステムの第２の実施形態を示す。図において、ＯＳＵ１０は、波長λd1〜λdnの下り光信号と波長λu1〜λunの上り用搬送光を波長多重し、光ファイバ伝送路１を介して波長分岐器２０へ送信する。波長分岐器２０は、波長λd1〜λdnの下り光信号および波長λu1〜λunの上り用搬送光を分波し、光ファイバ伝送路３を介してそれぞれ対応するＯＮＵ３０−１〜３０−ｎへ送出する。
【００６１】
ＯＮＵ３０−１〜３０−ｎは、伝送されてきた波長λd1〜λdnの下り光信号をそれぞれ受信する。また、波長λu1〜λunの上り用搬送光を下り光信号からそれぞれ分波し、変調して上り光信号として折り返し、光ファイバ伝送路３を介して波長分岐器２０へ送信する。ＯＮＵ３０−１〜３０−ｎから送信された波長λu1〜λunの上り光信号は波長分岐器２０で波長多重され、光ファイバ伝送路１を介してＯＳＵ１０へ伝送される。
【００６２】
本実施形態は、ＯＮＵ３０−１〜３０−ｎにおいて、ＯＳＵ１０から供給される波長λu1〜λunの上り用搬送光をそれぞれ変調して折り返す構成を特徴としており、その他の構成は第１の実施形態と同様である。すなわち、下り光信号の波長間隔Δλd （光周波数間隔Δｆd ）を、上り光信号の波長間隔Δλu （光周波数間隔Δｆu ）の２倍以上に設定し、上り光信号の波長間隔を狭めることにより、各ＯＮＵで上り光信号を変調する光変調器として同一仕様のものを用いることができる。
【００６３】
なお、ＯＳＵ１０から送信する上り用搬送光は、図７に示す第３の実施形態のように、波長λu1〜λunを含む波長λu の広帯域光とし、波長分岐器２０で波長λu1〜λunの上り用搬送光にスペクトルスライスして各ＯＮＵに供給する構成としてもよい。
【００６４】
また、ＯＳＵ１０から送信する上り用搬送光は、図８に示す第４の実施形態のように、波長λu1〜λunを含む波長λu の広帯域光とし、波長分岐器２０では、波長λu の上り用搬送光をスペクトルスライスせずに各ＯＮＵに分配し、各ＯＮＵで波長λu の上り用搬送光を変調して波長分岐器２０に折り返し、波長分岐器２０で波長λu1〜λunの上り光信号にスペクトルスライスして波長多重し、ＯＳＵ１０に送出するようにしてもよい。
【００６５】
このように、広帯域の上り用搬送光をＯＳＵ１０から各ＯＮＵに供給する構成では、下り方向でスペクトルスライスした上り用搬送光を各ＯＮＵに供給する構成か、上り方向で各ＯＮＵから送信された上り光信号をスペクトルスライスして波長多重する構成のいずれでもよい。
【００６６】
なお、図９〜図１０を参照して以下に述べるように、第２〜第４の実施形態の光波長多重アクセスシステムでは、ＯＳＵ１０と波長分岐器２０の間が２心の光ファイバ伝送路で接続されるとともに、波長分岐器２０とｎ個の各ＯＮＵ３０−１〜３０−ｎとの間がいずれも２心の光ファイバ伝送路で接続される。
【００６７】
（第２〜第４の実施形態の波長分岐器２０の第１の構成例）
図９は、本発明の光波長多重アクセスシステムの第２〜第４の実施形態の波長分岐器２０の第１の構成例を示す。
【００６８】
図において、波長分岐器２０は、１個の結合ポートと（ｎ＋１）個の分岐ポートを有し、等しい波長間隔Δλd （光周波数間隔Δｆd ）で決まる等間隔波長グリッド（等間隔周波数グリッド）の中から選択される（ｎ＋１）種の波長（光周波数）を中心とした透過幅±Δλd ／２（±Δｆd ／２）以内の波長領域（光周波数領域）に分離するＣＷＤＭカプラ２１と、１個の結合ポートとｎ個の分岐ポートを有し、等しい波長間隔Δλu （光周波数間隔Δｆu ）で決まる等間隔波長グリッド（等間隔周波数グリッド）の中から選択されるｎ種の波長（光周波数）を中心とした透過幅±Δλu ／２（±Δｆu ／２）以内の波長領域（光周波数領域）に分離するＤＷＤＭカプラ２２−１，２２−２と、波長λd1〜λdnの下り光信号と波長λu1〜λunの上り用搬送光を結合するＷＤＭカプラ２５−１〜２５−ｎにより構成される。
【００６９】
なお、ＤＷＤＭカプラ２２−１又は２２−２の分岐ポート＃１〜＃ｎに光信号が入力された場合、ＤＷＤＭカプラ２２−１又は２２−２は入力された各光信号を波長多重して結合ポート＃０から出力する。
【００７０】
ＣＷＤＭカプラ２１の結合ポート＃０は、光ファイバ伝送路１を介してＯＳＵ１０に接続される。ＣＷＤＭカプラ２１のｎ個の分岐ポート＃１〜＃ｎは、ＷＤＭカプラ２５−１〜２５−ｎおよび光ファイバ伝送路３を介してＯＮＵ３０−１〜３０−ｎに接続される。ＣＷＤＭカプラ２１の分岐ポート＃ｎ＋１は、ＤＷＤＭカプラ２２−１の結合ポート＃０に接続される。ＤＷＤＭカプラ２２−１のｎ個の分岐ポート＃１〜＃ｎは、ＷＤＭカプラ２５−１〜２５−ｎおよび光ファイバ伝送路３を介してＯＮＵ３０−１〜３０−ｎに接続される。ＤＷＤＭカプラ２２−２のｎ個の分岐ポート＃１〜＃ｎは、光ファイバ伝送路４を介してＯＮＵ３０−１〜３０−ｎに接続される。ＤＷＤＭカプラ２２−２の結合ポート＃０は、光ファイバ伝送路２を介してＯＳＵ１０に接続される。
【００７１】
ＣＷＤＭカプラ２１の結合ポート＃０に入力する波長λd1〜λdnの下り光信号は分岐ポート＃１〜＃ｎに分岐され、ＷＤＭカプラ２５−１〜２５−ｎおよび光ファイバ伝送路３を介してそれぞれ対応するＯＮＵ３０−１〜３０−ｎへ伝送される。また、波長λu の上り用搬送光は、ＣＷＤＭカプラ２１の分岐ポート＃ｎ＋１に分岐され、さらにＤＷＤＭカプラ２２−１の分岐ポート＃１〜＃ｎにスペクトルスライスされ、ＷＤＭカプラ２５−１〜２５−ｎおよび光ファイバ伝送路３を介してそれぞれ対応するＯＮＵ３０−１〜３０−ｎへ伝送される。ＯＮＵ３０−１〜３０−ｎからＤＷＤＭカプラ２２−２の分岐ポート＃１〜＃ｎに入力する波長λu1〜λunの上り光信号は、結合ポート＃０に波長多重されて送出される。
【００７２】
なお、これは下り方向でスペクトルスライスした上り用搬送光を各ＯＮＵに供給する構成（図７の第３の実施形態に対応）であるが、この場合には上り光信号を波長多重するＤＷＤＭカプラ２２−２は波長選択性のない光分岐結合器であってもよい。また、上り方向で各ＯＮＵから送信された上り光信号をスペクトルスライスして波長多重する構成（図８の第４の実施形態に対応）の場合には、ＤＷＤＭカプラ２２−１を波長選択性のない光分岐結合器とし、各ＯＮＵに波長λu の上り用搬送光をそのまま供給すればよい。
【００７３】
また、図６に示す第２の実施形態の構成のように、ＯＳＵ１０から波長λu1〜λunの上り用搬送光を送信する場合には、ＣＷＤＭカプラ２１の分岐ポート＃ｎ＋１に一括して分岐され、ＤＷＤＭカプラ２２−１の分岐ポート＃１〜＃ｎからスペクトルスライスした場合と同様の各波長の上り用搬送光が各ＯＮＵにそれぞれ供給される。
【００７４】
（第２〜第４の実施形態の波長分岐器２０の第２の構成例）
図１０は、本発明の光波長多重アクセスシステムの第２〜第４の実施形態の波長分岐器２０の第２の構成例を示す。
【００７５】
本構成例の波長分岐器２０は、第１の構成例と同様のＣＷＤＭカプラ２１、ＤＷＤＭカプラ２２−１，２２−２、ＷＤＭカプラ２５−１〜２５−ｎにより構成され、接続関係も同様である。ただし、信号の向きが異なる。
【００７６】
ＣＷＤＭカプラ２１の結合ポート＃０に入力する波長λd1〜λdnの下り光信号は分岐ポート＃１〜＃ｎに分岐され、ＷＤＭカプラ２５−１〜２５−ｎおよび光ファイバ伝送路３を介してそれぞれ対応するＯＮＵ３０−１〜３０−ｎへ伝送される。また、ＤＷＤＭカプラ２２−２の結合ポート＃０に入力する波長λu の上り用搬送光は分岐ポート＃１〜＃ｎに分岐され、光ファイバ伝送路４を介してそれぞれ対応するＯＮＵ３０−１〜３０−ｎへ伝送される。
【００７７】
ＯＮＵ３０−１〜３０−ｎから送信され、ＷＤＭカプラ２５−１〜２５−ｎを介してＤＷＤＭカプラ２２−１の分岐ポート＃１〜＃ｎに入力する波長λu1〜λunの上り光信号は、結合ポート＃０に波長多重される。このｎ波の上り光信号はＣＷＤＭカプラ２１の分岐ポート＃ｎ＋１に入力され、ｎ波の上り光信号が１波の下り光信号と同等の扱いで、ＣＷＤＭカプラ２１の結合ポート＃０から送出される。
【００７８】
なお、これは下り方向でスペクトルスライスした上り用搬送光を各ＯＮＵに供給する構成（図７の第３の実施形態に対応）であるが、この場合には上り光信号を波長多重するＤＷＤＭカプラ２２−１は波長選択性のない光分岐結合器であってもよい。また、上り方向で各ＯＮＵから送信された上り光信号をスペクトルスライスして波長多重する構成（図８の第４の実施形態に対応）の場合には、ＤＷＤＭカプラ２２−２を波長選択性のない光分岐結合器とし、各ＯＮＵに波長λu の上り用搬送光をそのまま供給する。
【００７９】
また、図６に示す第２の実施形態の構成のように、ＯＳＵ１０から波長λu1〜λunの上り用搬送光を送信する場合には、ＤＷＤＭカプラ２２−２の分岐ポート＃１〜＃ｎからスペクトルスライスした場合と同様の各波長の上り用搬送光が各ＯＮＵにそれぞれ供給される。
【００８０】
また、図９および図１０に示す波長分岐器２０の構成例は、図２に示す第１の実施形態の波長分岐器２０の第１の構成例あるいは図５に示す第４の構成例に対応するものである。同様に、図３に示す第１の実施形態の波長分岐器２０の第２の構成例に対応し、スペクトルスライスするＤＷＤＭカプラを複数に分けるようにしてもよい。また、図４に示す第１の実施形態の波長分岐器２０の第３の構成例に対応し、ＣＷＤＭカプラ２１とＤＷＤＭカプラ２２−１の各結合ポート＃０をＷＤＭカプラ２５を介して光ファイバ伝送路１に接続するようにしてもよい。
【００８１】
また、例えば図４，５，９，１０に示した波長分岐器２０で用いているＷＤＭカプラ２５、２５−１〜２５−ｎは、下り光信号または上り光信号を反射し、その他の波長の光信号を透過する光波長フィルタにより構成することができる。あるいは、下り光信号または上り光信号を１本の光ファイバ伝送路に出力し、１本の光ファイバ伝送路から入力する上り光信号または下り光信号を取り込む３ポートの光サーキュレータにより構成することができる。あるいは光カプラでもよい。
【００８２】
（本発明の光波長多重アクセスシステムの第５の実施形態）
図１１は、本発明の第５の実施形態による光波長多重アクセスシステムを示す図である。同システムは、センタ装置（ＯＳＵ）１１０と複数ｎ個の光ネットワークユニット（ＯＮＵ）１３０―１〜１３０−ｎとの間を光パワー分岐器１２０および光ファイバ伝送路１０１，１０３を介して接続している。これにより、同システムは、ＯＳＵ１１０から各ＯＮＵ１３０−１〜１３０−ｎへ向けて送出されるそれぞれ波長の異なる下り光信号（波長λd1，…，λdn）、および、各ＯＮＵ１３０−１〜１３０−ｎからＯＳＵ１１０へ向けて送出されるそれぞれ波長の異なる上り光信号（波長λu1，…，λun）を双方向伝送する。
【００８３】
以下、各構成についてさらに詳述する。
光ファイバ伝送路は、ＯＳＵ１１０と光パワー分岐器１２０を結ぶ光ファイバ伝送路１０１と、光パワー分岐器１２０と各ＯＮＵ１３０−１〜１３０−ｎを結ぶ複数の光ファイバ伝送路１０３で構成される。
【００８４】
ＯＳＵ１１０は、波長λd1，…，λdnの各下り光信号を波長多重し、光ファイバ伝送路１０１を介して波長多重された下り光信号を光パワー分岐器１２０へ送信する。
【００８５】
光パワー分岐器１２０は、光ファイバ伝送路１０１から入力される下り光信号の光パワーを分配し、分配された下り光信号を光ファイバ伝送路１０３を介してそれぞれＯＮＵ１３０−１〜１３０−ｎへ送出する。また、光パワー分岐器１２０は、光ファイバ伝送路１０３を介してＯＮＵ１３０−１〜１３０−ｎからそれぞれ送出される波長λu1，…，λunの各上り光信号を結合し、結合された上り光信号を光ファイバ伝送路１０１を介してＯＳＵ１１０へ送出する。
【００８６】
なお、上述の説明から明らかなように、光パワー分岐器１２０の用途は「分岐（分配）」に限定されるものではなく、分岐を行う場合とは逆方向に光信号を伝搬させた場合には結合器として機能する。つまり、光パワー分岐器１２０は光パワー分岐結合器として機能するが、本明細書では簡便のため単に「光パワー分岐器」と呼ぶこととする。
【００８７】
ＯＮＵ１３０−１〜１３０−ｎの各々は、光ファイバ伝送路１０３を介して伝送される波長λd1，…，λdnの下り光信号のうち自身に割り当てられた波長の下り光信号を受信する。また、ＯＮＵ１３０−１〜１３０−ｎの各々は、自身に割り当てられている波長の上り光信号を生成し、光ファイバ伝送路１０３を介して光パワー分岐器１２０へ送信する。なお、図１１の例ではＯＮＵ１３０−ｋ（ｋ＝１〜ｎ）に対して波長λdkおよび波長λukが割り当てられている。
【００８８】
本実施形態では、少なくとも各ＯＮＵ１３０―１〜１３０−ｎとＯＳＵ１１０の間の光ファイバ伝送路において、各ＯＮＵに対応する各上り光信号の中心波長λuk（中心周波数）は、等しい波長間隔Δλｕ（光周波数間隔Δｆｕ）で決まる等間隔波長グリッド（等間隔周波数グリッド）の中からそれぞれ任意に選択され、その波長誤差（周波数誤差）が±Δλｕ／２（±Δｆｕ／２）以内に設定される。例えば、ＯＮＵ１３０−ｎに対応する上り光信号の中心周波数（中心波長λun）は、Δλｕ＝200 [GHz]とした場合に、前記光ファイバ伝送路で193100 [GHz] (=約1552.5 [nm])＋200×n [GHz]となるように配置される。
【００８９】
各ＯＮＵは、光スペクトル幅が波長間隔Δλｕ（光周波数間隔Δｆｕ）の２倍以上の上り光信号を送信する広スペクトル光源部１３１および下り光信号を受信して電気信号に変換する光受信器１３２からなる光送受信部１３３、ならびに、光受信器１３２から出力される電気信号に対して所定の電気的処理を行うとともに広スペクトル光源１３１を制御するための電気信号を広スペクトル光源１３１に出力する電気処理部１３４を備えている。
【００９０】
ＯＮＵ１３０―１〜１３０−ｎの光ファイバ伝送路１０３側（ＯＳＵ１１０側）の入出力端には、それぞれ、光フィルタユニット１４０−１〜１４０−ｎが光コネクタ１５０を介して配置されている。これらの光コネクタ１５０により、光フィルタユニット１４０−１〜１４０−ｎはＯＮＵ１３０―１〜１３０−ｎ内の光送受信部１３３に対して簡易に着脱可能となっている。また、図１１では図示を省略したが、ＯＮＵ１３０―１〜１３０−ｎのもう一方の入出力端はユーザインタフェースとなっている（図１３（ａ）及び図１３（ｂ）参照）。
【００９１】
各光フィルタユニット１４０−ｋは、光ファイバ伝送路１０３から入力される全ての下り光信号の中から当該光フィルタユニットに対応したＯＮＵ１３０−ｋに割り当てられている波長λdkの光信号を分離して、ＯＮＵ１３０−ｋ内の光送受信部１３３へ出力するとともに、光送受信部１３３からの上り光信号を波長λdkでスペクトルスライスして光ファイバ伝送路１０３に送出する。図１１に示したように、例えばＯＮＵ１３０−ｎの広スペクトル光源１３１から出力される広帯域光は、光フィルタユニット１４０−ｎによりスペクトルスライスされて波長λunを中心波長とした上り光信号が光ファイバ伝送路１０３に送出される。
【００９２】
より具体的には、上り光信号は、光フィルタユニット１４０−ｋで、ＯＮＵ毎に設定された前記中心波長（中心周波数）を中心に、波長間隔Δλｕ（周波数間隔Δｆｕ）以内の波長幅（周波数幅）でスペクトルスライスされる。
【００９３】
例えば、前記のように、ＯＮＵ１３０−ｎに対応する上り光信号の中心周波数（中心波長）が、前記光ファイバ伝送路で、193100 [GHz] (=約1552.5 [nm])＋200×n [GHz]となるように配置した場合、各ＯＮＵ内の広スペクトル光源１３１から出力される上り光信号の光スペクトル幅は、いずれも、193100 [GHz]から193100+200×n [GHz]までの200×n [GHz]の幅を持つ。したがって、200 [GHz](=約0.8[nm])×８〜１６のスペクトル幅、つまり、約6.4 nm〜12.8 [nm]のスペクトル幅をもつ広スペクトル光源１３１を利用すれば、ｎ＝８〜１６の光波長多重アクセスシステムを実現できる。
【００９４】
なお、ＯＮＵ１３０−１〜１３０−ｎは光フィルタユニット１４０−１〜１４０−ｎを除いて同一の構成である。また、各光フィルタユニット１４０−ｋも基本的な構成は同じであって、当該光フィルタユニットに対応するＯＮＵ１３０−ｋに割り当てられた固有の波長λdkを持つ光信号を光パワー分岐器１２０との間で送受信するように設計されている点が互いに異なっている。こうしたことから、光送受信部１３３に対して光フィルタユニット１４０−１〜１４０−ｎを着脱可能としている。
【００９５】
本実施形態によれば、光パワー分岐器を介して複数の信号を結合・分配する光アクセスシステムにおいて、スペクトルスライス方式を適用し、各ＯＮＵが異なる波長を占有してＯＳＵと通信するシステムが実現される。また、広スペクトル光源１３１、光受信器１３２、電気処理部１３４から成る能動的機能部分を、光フィルタユニット１４０−ｋから成る受動的機能部分から容易に分離可能としているため、ＯＮＵ１３０−１〜１３０−ｎを単一品種化してトータルの製造コストを低減することができる。また、光コネクタ１５０により光フィルタユニット１４０−ｋを光送受信部１３３に対して簡易に着脱できるため、ユーザ毎に割り当てられた光フィルタユニットを単一品種のＯＮＵに装着すれば良くなり運用性が向上する。
【００９６】
（本発明の光波長多重アクセスシステムの第６の実施形態）
図１２は、本発明の第６の実施形態による光波長多重アクセスシステムの構成を示す図である。図１２において、図１１に示したものと同じ構成要素には同一の符号を付してその説明を省略する。
【００９７】
本実施形態では、第５の実施形態の光波長多重アクセスシステムにおいて、光ファイバ伝送路中における下り信号の波長間隔Δλｄ（光周波数間隔Δｆｄ）を、上り信号の波長間隔Δλｕ（光周波数間隔Δｆｕ）の少なくとも２倍以上に設定している。
【００９８】
また、少なくともＯＳＵ１１０と各ＯＮＵ１３０―１〜１３０−ｎとの間において、各ＯＮＵ１３０―１〜１３０−ｎに対応する各下り光信号の中心波長（中心周波数）λd1，…，λdnは、等しい波長間隔Δλｄ（光周波数間隔Δｆｄ）で決まる等間隔波長グリッド（等間隔周波数グリッド）の中からそれぞれ任意に選択され、その波長誤差（周波数誤差）が±Δλｄ／２（±Δｆｄ／２）以内に設定される。
【００９９】
具体例として、下り光信号の波長を20 nm間隔の等間隔波長グリッドから任意に選択するものとする。この場合、ＯＮＵ１３０−１〜１３０−８に対応する下り光信号の波長を、例えばそれぞれ1430, 1450, 1470, 1490, 1510, 1570, 1590, 1610 nmに設定する。また、20 nm間隔の等間隔波長グリッドから任意に選択されており、1510 nmと1570 nmの間で跳んでいる1530, 1550 nm近辺には、上り光信号の波長λu1，…，λunを配置する。
【０１００】
本実施形態では、ＯＳＵ１１０における下り光信号の発生には、それぞれの波長に対して個別のレーザ（ＬＤ）を用いることが好ましい。ＬＤを用いる場合、波長グリッドの波長間隔が粗いほうが、ＬＤの波長安定性に対する要求が緩くなるため、装置の軽量、低コスト化を実現しやすくなる。
【０１０１】
本実施形態のような構成および波長配置とすることで、ＯＮＵの単一品種化を実現できるとともに、ＯＳＵの軽量、低コスト化を実現できる。
【０１０２】
（本発明の光波長多重アクセスシステムの第７の実施形態）
図１３（ａ）及び図１３（ｂ）は、本発明の第７の実施形態の説明図であって、第５の実施形態または第６の実施形態における光フィルタユニットの構成例である。なお、図１３（ａ）及び図１３（ｂ）において、図１１又は図１２に示したものと同じ構成要素には同一の符号を付してその説明を省略する。
【０１０３】
図１３（ａ）の光フィルタユニット１４０−ｋは、広スペクトル光源１３１から送信される光信号をスペクトルスライスして得るべき波長λsend±α（αは広スペクトル光源１３１から送信される光信号の光スペクトル幅Δλ（周波数幅Δｆ）の1／４以下の波長幅（周波数幅））と、少なくとも受信光信号の波長λreceiveを含む、λsend±α以外の波長範囲とを多重・分離する波長フィルタ１４１、および、λreceive±β（βは任意の波長幅）の光信号を選択する波長フィルタ１４２から構成される。なお、図１３（ａ）では波長λsendは波長λukであり、波長λreceiveは波長λdkである。また、αは波長間隔Δλｕの１／２以下に設定し、βは波長間隔Δλdの１／２以下に設定する。
【０１０４】
広スペクトル光源１３１から発生された光信号は、波長フィルタ１４１を介して、波長λsendを中心とした波長でスペクトルスライスされると同時に光ファイバ伝送路１０３からの光信号と方向多重された後、光ファイバ伝送路１０３へ送出される。
【０１０５】
一方、光ファイバ伝送路１０３からの光信号は、波長フィルタ１４１で、光ファイバ伝送路１０３へ送出されるλsend±αの光信号と分離されて波長フィルタ１４２に出力された後、波長フィルタ１４２で、λdk±βの光信号が当該ＯＮＵ１３０−ｋに関係しない他の光信号と分離され、光受信器１３２へ出力される。
【０１０６】
図１３（ｂ）の光フィルタユニット１４０−ｋは、広スペクトル光源１３１から送信される光信号をスペクトルスライスして得るべきλsend±αを選択する波長フィルタ１４３、および、受信光信号の波長λreceive±βと、少なくともλsend±αを含む、λreceive±β以外の波長範囲とを多重・分離する波長フィルタ１４４から構成される。なお、図１３（ｂ）では波長λsendは波長λukであり、波長λreceiveは波長λdkである。また、αは波長間隔Δλｕの１／２以下に設定し、βは波長間隔Δλdの１／２以下に設定する。
【０１０７】
広スペクトル光源１３１から発生された光信号は、波長フィルタ１４３を介して、波長λsendを中心とした波長でスペクトルスライスされた後に波長フィルタ１４４に送出され、この波長フィルタ１４４で光ファイバ伝送路１０３からの光信号と方向多重され、光ファイバ伝送路１０３へと送出される。
【０１０８】
一方、光ファイバ伝送路１０３より入力される光信号からは、波長フィルタ１４４で、λdk±βの光信号が当該ＯＮＵ１３０−ｋに関係しない他の光信号および波長λsend±αの光信号と分離され、光受信器１３２へ出力される。
【０１０９】
以上、本発明の実施形態を図面を参照して説明してきたが、これら実施形態は本発明の例示に過ぎず、本発明がこれら実施形態に限定されるものでないことは明らかである。したがって、本発明の精神および範囲を逸脱しない範囲で構成要素の追加，省略，置換，その他の変更を行うようにしても良い。すなわち、本発明は上述した説明に限定されるものではなく、以下に述べる特許請求の範囲の範囲のみに限定される。
【図面の簡単な説明】
【０１１０】
【図１】本発明の光波長多重アクセスシステムの第１の実施形態を示す図である。
【図２】第１の実施形態の波長分岐器２０の第１の構成例を示す図である。
【図３】第１の実施形態の波長分岐器２０の第２の構成例を示す図である。
【図４】第１の実施形態の波長分岐器２０の第３の構成例を示す図である。
【図５】第１の実施形態の波長分岐器２０の第４の構成例を示す図である。
【図６】本発明の光波長多重アクセスシステムの第２の実施形態を示す図である。
【図７】本発明の光波長多重アクセスシステムの第３の実施形態を示す図である。
【図８】本発明の光波長多重アクセスシステムの第４の実施形態を示す図である。
【図９】第２〜第４の実施形態の波長分岐器２０の第１の構成例を示す図である。
【図１０】第２〜第４の実施形態の波長分岐器２０の第２の構成例を示す図である。
【図１１】本発明の光波長多重アクセスシステムの第５の実施形態を示す図である。
【図１２】本発明の光波長多重アクセスシステムの第６の実施形態を示す図である。
【図１３】本発明の第７の実施形態を示す図であって、第５の実施形態または第６の実施形態における光フィルタユニットの第１の構成例（ａ）及び第２の構成例（ｂ）である。
【図１４】は、従来の光波長多重アクセスシステムの第１の構成例を示す図である。
【図１５】は、従来の光波長多重アクセスシステムの第２の構成例を示す図である。
【符号の説明】
【０１１１】
１，２，３，４，１０１，１０３  光ファイバ伝送路
１０，１１０  センタ装置（ＯＳＵ）
２０  波長分岐器
２１  ＣＷＤＭカプラ（１×（ｎ＋１））
２２  ＤＷＤＭカプラ（１×ｎ）
２３  ＣＷＤＭカプラ（１×（ｎ＋２））
２４  ＤＷＤＭカプラ（１×ｍ）
２５  ＷＤＭカプラ（１×２）
２６  ＣＷＤＭカプラ（１×ｎ）
３０，１３０−１，１３０−ｋ，１３０−ｎ  光ネットワークユニット（ＯＮＵ）
１２０  光パワー分岐器
１３１  広スペクトル光源
１３２  光受信器
１３３  光送受信部
１３４  電気処理部
１４０−１，１４０−ｋ，１４０−ｎ  光フィルタユニット
１５０  光コネクタ
【図１】
2004222255.tif 000003
【図２】
2004222255.tif 000004
【図３】
2004222255.tif 000005
【図４】
2004222255.tif 000006
【図５】
2004222255.tif 000007
【図６】
2004222255.tif 000008
【図７】
2004222255.tif 000009
【図８】
2004222255.tif 000010
【図９】
2004222255.tif 000011
【図１０】
2004222255.tif 000012
【図１１】
2004222255.tif 000013
【図１２】
2004222255.tif 000014
【図１３】
2004222255.tif 000015
【図１４】
2004222255.tif 000016
【図１５】
2004222255.tif 000017